(57)【特許請求の範囲】
【請求項１】
少なくとも、無線信号を遮断可能な材料からなる第１部分を含み、移動可能である遮断装置を含み、
前記第１部分が第１位置に位置する時、前記第１部分が、アンテナが信号を受信および／または送信することができないように前記アンテナを遮断し、前記第１部分が前記第１位置から移動した時、前記アンテナが正常に動作し、
前記遮断装置が、無線信号を強化可能な材料からなる第２部分を更に含み、前記第２部分が前記第１位置に位置する時、前記第２部分が前記アンテナの信号の受信および／または送信を強化するアンテナ装置。
【請求項２】
前記第１部分と前記第２部分とが接続され、
前記遮断装置が、
前記第２部分が前記第１位置に移動した時、前記第１部分が前記第１位置から移動するように、接続された前記第１部分と前記第２部分を移動させるように構成される移動装置を更に含む請求項１に記載のアンテナ装置。
【請求項３】
前記移動装置が、
前記第１部分と前記第２部分が設けられるスライド台と、
前記スライド台に接続され、外力を受けて前記スライド台を移動させる移動部材と、を含む請求項２に記載のアンテナ装置。
【請求項４】
前記第１位置が、前記アンテナの上方に位置する請求項１乃至３中のいずれかに記載のアンテナ装置。
【請求項５】
前記第１部分が金属膜であり、および／または、前記第２部分が磁性膜である請求項１乃至３の中のいずれかに記載のアンテナ装置。
【請求項６】
アンテナと、
請求項１乃至５の中のいずれかに記載のアンテナ装置と、を含む端末。
【請求項７】
前記端末が、後部蓋を更に含み、
前記アンテナ装置が前記後部蓋と前記アンテナとの間に設けられる請求項６に記載の端末。
【請求項８】
前記後部蓋にスライド溝が設けられ、
前記移動部材におけるスイッチ部分が前記スライド溝に位置し、前記スイッチ部分が前記外力を受けた後に前記スライド溝の中で移動することで、前記スライド台を移動させる請求項６に記載の端末。
【請求項９】
前記アンテナが近距離通信ＮＦＣアンテナである請求項６乃至８の中のいずれかに記載の端末。
【発明の詳細な説明】
【技術分野】
【０００１】
本発明は、通信分野に関し、具体的に、アンテナ装置および端末に関するものである。
【背景技術】
【０００２】
近距離無線通信技術（Ｎｅａｒ  Ｆｉｅｌｄ  Ｃｏｍｍｕｎｉｃａｔｉｏｎ、ＮＦＣと称す）ＮＦＣは、非接触型識別および相互接続技術として、モバイル機器、消費系電子製品、ＰＣ、スマートオブジェクトの間で近距離無線通信を行う。ＮＦＣが簡単なタッチ式解決案を提供して、消費者は簡単かつ直観的に情報を交換したりコンテンツやサービスにアクセスしたりすることができた。当該技術は非接触式無線識別（Ｒａｄｉｏ  Ｆｒｅｑｕｅｎｃｙ  Ｉｄｅｎｔｉｆｉｃａｔｉｏｎ、ＲＦＩＤと称す）から進化したもので、下り方向でＲＦＩＤと互換性を有し、最初は、ＳｏｎｙとＰｈｉｌｉｐｓがそれぞれ開発に成功し、主に携帯電話等の手持ち機器に応用されてＭ２Ｍ（Ｍａｃｈｉｎｅ  ｔｏ  Ｍａｃｈｉｎｅ）の通信を提供した。近距離通信が天然的なセキュリティ性を有するので、ＮＦＣ技術のケータイ払い等の分野での広い応用が見込まれている。
【０００３】
モバイル端末（主にはスマートフォンや携帯式タブレットＰＣ）が高速に発展し普及されることに伴って、モバイル端末が人々の生活にて占める地位はどんどん高まっていて、機能もますます強化され、新規技術の出現や発展（例えば、ＲＦＩＤ技術とＮＦＣ技術）は人々の生活方式を大幅に改善している。以前、人々は仕事、生活、消費中において大量のキー、クレジットカード、電子キー等を利用しなければならなったが、今は全てをモバイル端末で実現することができる。ＮＦＣ技術は、独特な信号減衰技術を用いたので、ＲＦＩＤに比べ、ＮＦＣは距離が近く、バンド幅が高く、エネルギー消費が低い等のメリットを有し、ドアコントローラー、バス、ケータイ払い等の分野で極大な作用を果たしている。ＮＦＣ通信は主に以下のような３種類に分けられる：
１、主動−主動通信モード、
２、主動−半主動通信モード、
３、主動−被動通信モード。
【０００４】
ＮＦＣは近距離接続プロトコルで、各種の機器間で気楽で、セキュリティ、高速かつ自動的な通信を提供するので、ケータイ払い、電子キー等の近距離のプライバシー通信方式によく利用されている。従って、他の通信プロトコルに比べ、ＮＦＣ通信の方のプライバシーに対する要求が更に高い。既存技術において、セキュリティ対策は通常、暗号化アルゴリズムと暗号化デジタル制御の方面から開始するが、このような方法は主動−主動モードや一部の主動−半主動モード等のアクティブ端末のモードにしか適応せず、また、今のモバイル端末は通常、ＬＴＥ＼ＷＩＦＩ＼ＢＴ＼ＮＦＣ等のモードを具備し、一部の下心を持つプログラムはよく他のモードの通信プロトコルによって復号化して確認して使用者が知らない内に決済を完成し、また、ＮＦＣ通信のセキュリティ対策は通常、ソフトウェアの暗号化アルゴリズムと暗号化デジタル制御の方面から開始し、主動−主動モード等のアクティブモードにしか適応しない。そして、これらの暗号化アルゴリズムはソフトウェアによるサポートを必要とするので、端末がシャットダウンされた場合または起動させる必要がない場合における使用状態に対しては無力である。
【０００５】
既存技術において、ソフトウェアのみでＮＦＣの通信セキュリティを処理するしかできないことによる問題について、未だに有効な解決案を提示していない。
【発明の概要】
【発明が解決しようとする課題】
【０００６】
本発明の実施例は、少なくとも、既存技術においてソフトウェアのみでＮＦＣの通信セキュリティを処理するしかできないことによる問題を解決できるアンテナ装置および端末を提供する。
【課題を解決するための手段】
【０００７】
本発明の実施例の一態様によると、少なくとも、無線信号を遮断可能な材料からなる第１部分を含み、移動可能である遮断装置を含み、前記第１部分が第１位置に位置する時、前記第１部分が、アンテナが信号を受信および／または送信することができないように、前記アンテナを遮断し、前記第１部分が前記第１位置から移動した時、前記アンテナが正常に動作するアンテナ装置を提供する。
【０００８】
前記遮断装置が、無線信号を強化可能な材料からなる第２部分を更に含み、前記第２部分が前記第１位置に位置する時、前記第２部分が前記アンテナの信号の受信および／または送信を強化することが好ましい。
【０００９】
前記第１部分と前記第２部分とが接続され、前記遮断装置が、前記第２部分が前記第１位置に移動した時、前記第１部分が前記第１位置から移動するように接続された前記第１部分と前記第２部分を移動させるように構成される移動装置を更に含むことが好ましい。
【００１０】
前記移動装置が、前記第１部分と前記第２部分が設けられるスライド台と、前記スライド台に接続され、外力を受けて前記スライド台を移動させる移動部材と、を含むことが好ましい。
【００１１】
前記第１位置が、前記アンテナの上方に位置することが好ましい。
【００１２】
前記第１部分が、金属膜であり、および／または、前記第２部分が磁性膜であることが好ましい。
【００１３】
本発明の実施例の他の一態様によると、アンテナと、請求項１乃至７の中のいずれかに記載のアンテナ装置と、を含むことを特徴とする端末を提供する。
【００１４】
前記端末が、後部蓋を更に含み、前記アンテナ装置が前記後部蓋と前記アンテナとの間に設けられることが好ましい。
【００１５】
前記後部蓋にスライド溝が設けられ、前記移動部材におけるスイッチ部分が前記スライド溝に位置し、前記スイッチ部分が前記外力を受けた後に前記スライド溝の中で移動することで、前記スライド台を移動させることが好ましい。
【００１６】
前記アンテナが近距離通信ＮＦＣアンテナであることが好ましい。
【発明の効果】
【００１７】
本発明の実施例によると、少なくとも、無線信号を遮断可能な材料からなる第１部分を含み、移動可能である遮断装置を含み、第１部分が第１位置に位置する時、第１部分は、アンテナが信号を受信および／または送信することができないように、アンテナを遮断し、第１部分が第１位置から移動した時、アンテナが正常に動作するアンテナ装置を利用している。既存技術においてソフトウェアのみでＮＦＣの通信セキュリティを処理するしかできないことによる問題を解決し、ハードウェアの方面からセキュリティ性を強化する。
【図面の簡単な説明】
【００１８】
ここで説明する図面は本発明を一層理解させるためのもので、本願の一部を構成し、本発明に示す実施例およびその説明は本発明を解釈するもので、本発明を限定するものではない。
【図１】本発明の好適な実施例に係る遮断装置動作システムを示す図である。
【図２】本発明の好適な実施例に係るセキュリティ装置の構造を示す図である。
【図３】本発明の好適な実施例に係る携帯電話の正面を示す図である。
【図４】本発明の好適な実施例に係る携帯電話の裏面を示す図である。
【図５】本発明の好適な実施例に係る携帯電話のデフォルトの保護状態を示す図である。
【図６】本発明の好適な実施例に係る携帯電話のＮＦＣ通信状態を示す図である。
【発明を実施するための形態】
【００１９】
尚、衝突しない限り、本願の実施例および実施例中の特徴を互いに組み合わせすることができる。以下、図面を参照しつつ実施例を結合して本発明を詳しく説明する。
【００２０】
本実施例において、アンテナ装置を提供し、無線信号を遮断可能な材料からなる第１部分を含むことができ、かつ移動可能な遮断装置を含み、ここで、第１部分が第１位置に位置する時、第１部分は、アンテナが信号を受信および／または送信することができないように、アンテナを遮断し、第１部分が第１位置から移動した時、アンテナは正常に動作する。
【００２１】
上記アンテナ装置によると、該アンテナが通信を行うことができないように、ハードウェアの方面からアンテナを遮断する。該アンテナを使用する必要がある時、上記遮断装置を移動させてアンテナに動作させ、その他の場合には遮断装置を移動させて該アンテナを遮断することで、ハードウェアの方面でアンテナの使用を防止し、既存技術においてソフトウェアのみでＮＦＣの通信セキュリティを処理するしかできないことによる問題を解決し、ハードウェアの方面からセキュリティ性を強化する。
【００２２】
他の好適な実施形態において、該遮断装置にアンテナを強化する部分を追加することができる。即ち、該遮断装置は、無線信号を強化可能な材料からなる第２部分を更に含むことができ、ここで、第２部分が第１位置に位置する時、第２部分はアンテナによる信号の受信および／または送信を強化し、該アンテナの磁界を強化する。該第２部分と第１部分とが結合することで、該アンテナ装置がアンテナを遮断することができればアンテナを強化する作用も果たすこともでき、該アンテナが複数の機能を具備することになる。
【００２３】
該遮断装置中の第１部分と第２部分とが接続されて、第１部分と第２部分の連動を実現することが好ましい。該好適な実施形態において、遮断装置は、第２部分が上記第１位置に移動した時、第１部分が上記第１位置から移動するように接続された第１部分と第２部分を移動させるように構成される移動装置を更に含む。
【００２４】
上記移動装置をスライド台の方式で実現することができ、好適な実施形態において、移動装置は、第１部分と第２部分が設けられるスライド台と、スライド台に接続されて、外力を受けてスライド台を移動させる移動部材と、を含む。該好適な実施例によると、遮断装置の自由移動を実現し、使用者による使用上便宜を図ることができる。
【００２５】
上記実施例および好適な実施形態において、第１位置に係っているが、該第１位置がアンテナの上方に位置することが好ましく、これにより、アンテナに対する遮断効果が一層優れている。
【００２６】
上記実施例および好適な実施形態において、かかる第１部分は金属膜であることができ、第２部分は磁性膜であることができ、金属膜はアンテナが送信または受信する電磁波を遮断することができ、磁性膜はアンテナの電磁界を強化することができ、かつ、簡単に製造することができる。
【００２７】
本実施例において、アンテナとアンテナ装置とを含む端末を提供する。該アンテナ装置は、上記アンテナ装置と同一な機能を有し、ここでは説明を省略する。該端末によると、アンテナが通信を行うことができないように、ハードウェアの方面からアンテナを遮断する。該アンテナを使用する必要がある時、上記遮断装置を移動させてアンテナに動作させ、その他の場合には遮断装置を移動させて該アンテナを遮断することで、ハードウェアの方面でアンテナの使用を防止し、既存技術においてソフトウェアのみでＮＦＣの通信セキュリティを処理するしかできないことによる問題を解決し、ハードウェアの方面からセキュリティ性を強化する。
【００２８】
アンテナ装置とアンテナは需要に応じて端末の対応する位置に設けられ、本実施例において、好適な設置方式を提供し、当該好適な方式において、アンテナ装置は該端末の後部蓋とアンテナとの間に設けられる。
【００２９】
他の好適な実施形態において、後部蓋にはスライド溝が設けられていて、移動部材中のスイッチ部分がスライド溝に位置し、スイッチ部分が外力を受けた後にスライド溝の中で移動することで、スライド台を移動させる。
【００３０】
上述したアンテナは、近距離通信ＮＦＣアンテナであることができ、上記実施例および好適な実施形態を他のタイプのアンテナに応用できることは言うまでもなく、それによる効果も同じである。
【００３１】
以下、好適な実施例と実施形態を結合して本発明を説明する。
【００３２】
（好適な実施例１）
図１は本発明の好適な実施例に係る遮断装置の動作システムを示す図で、図１に示すように、該遮断装置の動作システムは、磁性薄膜１０と、金属薄膜２０と、金属台３０と、端末機器アンテナ４０と、主動機器アンテナ５０と、を含み、ここで、磁性薄膜１０、金属薄膜２０、金属台３０によって上記アンテナ装置の一好適な実施形態を構成する。以下、該システムを詳しく説明する。
【００３３】
端末機器アンテナ４０は端末固有のＮＦＣアンテナであることができ、主動機器アンテナ５０は、例えばバス地下鉄のカード読取機、電子クレジットカード機等の外部決済装置であることができる。
【００３４】
本好適な実施例において、当該磁性薄膜１０と金属薄膜２０を一つの金属台３０に固定し、該金属台はスライド可能な金属台であることができ、使用者は周辺装置（例えば、機械的スイッチ）を介して金属台の位置を制御することができ、使用者がＮＦＣ機能を必要とする時、磁性薄膜１０を端末機器アンテナ４０と主動機器アンテナ５０との間に移動させて、端末機器アンテナ４０の磁界を強化し、端末機器アンテナ４０の性能は正常状態であるので、主動機器からの情報を受信して、支払い機能等を完成することができる。使用者がＮＦＣ機能を必要としない時、金属薄膜２０を端末機器アンテナ４０と主動機器アンテナ５０との間に移動させて、端末機器アンテナ４０を遮断状態にし、主動機器からの情報を受信できないようにする。
【００３５】
本好適な実施例において、物理的なセキュリティ保護方法を提供し、全ての支払いを使用者が物理的に暗号キーを解かなければならず、根本から決済ミスの発生を防止する。
【００３６】
（好適な実施例２）
本好適な実施例においてセキュリティ保護装置の構造を提供し、図２は本発明の好適な実施例に係るセキュリティ装置（該セキュリティ装置は上記アンテナ装置の他の好適な実施例である）の構造を示す図で、図２に示すように、該セキュリティ装置７０は、磁性薄膜１０と、金属薄膜２０と、金属台３０と、スイッチ６０と、を含み、ここで、該磁性薄膜１０、金属薄膜２０、金属台３０はそれぞれ、図１中の磁性薄膜１０、金属薄膜２０、金属台３０と同一な機能を有するので、ここでは説明を省略する。以下、該構造を詳しく説明する。
【００３７】
図２に示すように、磁性薄膜１０と金属薄膜２０は接続されて金属台３０に固定され、金属台３０に更にスイッチ６０が設けられる。
【００３８】
本好適な実施例において、セキュリティ保護装置のＮＦＣ機能付きの端末を提供し、図３は本発明の好適な実施例に係る携帯電話の正面を示す図で、図４は本発明の好適な実施例に係る携帯電話の裏面を示す図で、図４に示すように、該携帯電話の裏面は、セキュリティ装置７０と、ＮＦＣアンテナ８０と、カメラ９０と、電池１００と、後部ケース１１０と、スイッチ動かし溝１２０と、を含み、セキュリティ装置７０は上記セキュリティ装置７０と構造が同じであるので、ここでは説明を省略する。以下、携帯電話の裏面を詳しく説明する。
【００３９】
ＮＦＣアンテナ８０は、後部ケース１１０と分離して設計され、ＮＦＣアンテナ８０と後部ケース１１０との間には隙間が形成されて、セキュリティ装置７０がその中に設けられる。後部ケース１１０（後部ケースに限定されない）に、当該セキュリティ装置のスイッチを制御するように構成される一つのスイッチ動かし溝１２０が設けられている。
【００４０】
図５は本発明の好適な実施例に係る携帯電話のデフォルトの保護状態を示す図で、図５に示すように、携帯電話がセキュリティ保護状態であると認める時、スイッチ動かし溝１２０に位置するスイッチ６０を動かし、スイッチ６０がセキュリティ装置７０に設けられているので、セキュリティ装置７０を上端に移動させ、金属薄膜２０がＮＦＣアンテナ８０の上方に位置し、これにより、携帯電話のＮＦＣアンテナ８０（通常は環状コイルである）の外部に金属薄膜２０がカバーされ、該金属薄膜２０を遮断し、ＮＦＣアンテナ８０は動作できず、使用者の端末は他の機能を正常に使用することができ、他の装置の干渉を受けて決済ミスが発生することはない。
【００４１】
図６は本発明の好適な実施例に係る携帯電話のＮＦＣ通信状態を示す図で、図６に示すように、使用者がＮＦＣ機能を必要とする時、スイッチ動かし溝１２０に位置するスイッチ６０を動かして、セキュリティ装置７０を下端に移動させ、磁性薄膜１０はＮＦＣアンテナ８０の上方に位置し、このように、携帯電話の外部に設けられた機械スイッチ６０を動かすことで、携帯電話の内部の柔軟性薄膜がスライドし始め、この時、携帯電話のＮＦＣアンテナ８０の外部に磁性薄膜１０がカバーされ、この時、ＮＦＣアンテナ８０は外部のアンテナと磁性結合し、使用者は該携帯電話を介してＮＦＣ通信を行って、支払い等の機能を完成することができる。
【００４２】
ＮＦＣ機能の使用を終了した後、使用者は継続して支払いを選択することができ、この時、端末を図６の位置に保持すればよい。使用停止を選択することもでき、この時、端末を図５の状態に戻せれば、ＮＦＣ機能を完全に中断することができる。完全な機械的な制御を行うので、ＮＦＣ端末の状態や携帯電話の電源状態とは関係なく、完全にシャットダウンまたは休眠状態でＮＦＣ操作を行うことができ、セキュリティ性および適用性を向上させる。
【００４３】
本好適な実施例の構造によると、ＮＦＣ支払いのセキュリティ性を有効に保護し、決済ミスの発生を防止することができる。同時に、スイッチ付きの構造によって、使用者にケータイ払いを利用する時の安全感に与えて、ケータイ払い等の業務の普及に有利である。
【産業上の利用可能性】
【００４４】
本発明の実施例によると、少なくとも、無線信号を遮断可能な材料からなる第１部分を含み、移動可能である遮断装置を含み、第１部分が第１位置に位置する時、第１部分は、アンテナが信号を受信および／または送信することができないように、アンテナを遮断し、第１部分が第１位置から移動した時、アンテナが正常に動作するアンテナ装置を利用している。既存技術においてソフトウェアのみでＮＦＣの通信セキュリティを処理するしかできないことによる問題を解決し、ハードウェアの方面からセキュリティ性を強化する。
【００４５】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【図１】
0006272992.tif 000002
【図２】
0006272992.tif 000003
【図３】
0006272992.tif 000004
【図４】
0006272992.tif 000005
【図５】
0006272992.tif 000006
【図６】
0006272992.tif 000007